(57)【特許請求の範囲】
【請求項１】
板状部材差込み部が設けられ、基板における部品搭載面上に配される絶縁ハウジングと、
該絶縁ハウジングに配列配置されて配され、上記板状部材差込み部を通じて上記絶縁ハウジングに差し込まれた配線板状部材における複数の接続端子部に夫々対応する位置をとるものとされる複数のコンタクトと、
上記絶縁ハウジングに対して回動可能に設けられて第１の静止位置と第２の静止位置とを選択的にとり、上記配線板状部材が上記絶縁ハウジングに上記板状部材差込み部を通じて差し込まれたもとで、上記第１の静止位置から上記第２の静止位置に移行せしめられるとき、上記複数のコンタクトの夫々に上記複数の接続端子部のうちの対応するものに対する押圧接触状態をとらせ、上記第２の静止位置から上記第１の静止位置に移行せしめられるとき、上記複数のコンタクトの夫々を上記複数の接続端子部のうちの対応するものに対する押圧接触状態から解放するアクチュエータと、
を備えて成り、
上記アクチュエータが、該アクチュエータが上記第１の静止位置をとるとき上記基板における部品搭載面の上方に向き、上記アクチュエータが上記第２の静止位置をとるとき上記基板における部品搭載面に沿う方向に向く第１の外面部、及び、上記アクチュエータが上記第２の静止位置をとるとき上記基板における部品搭載面の上方に向き、上記アクチュエータが上記第１の静止位置をとるとき上記基板における部品搭載面に沿う方向に向く第２の外面部を有し、
上記第１の外面部が、上記アクチュエータが上記第１の静止位置をとるとき上記基板における部品搭載面と平行に配される中央平面部と該中央平面部を挟んで配された一対の傾斜面部とを含んで形成されており、
上記第２の外面部が全体に亙って平面状を成すものとされていて、
上記第１の外面部または上記第２の外面部に、上記アクチュエータの他の部分及び上記絶縁ハウジングとは異なる色彩または模様を呈する識別部分が、上記第１の外面部または上記第２の外面部の少なくとも一部分を占めるものとして設けられることを特徴とするコネクタ装置。
【請求項２】
上記識別部分が、上記アクチュエータにおける上記第１の外面部または上記第２の外面部に塗装が施されることにより形成されることを特徴とする請求項１記載のコネクタ装置。
【請求項３】
上記識別部分が、上記アクチュエータにおける上記第１の外面部または上記第２の外面部に有色部材が固着されることにより形成されることを特徴とする請求項１記載のコネクタ装置。
【請求項４】
上記識別部分が、上記アクチュエータにおける上記第１の外面部または上記第２の外面部に変質処理が施されることにより形成されることを特徴とする請求項１記載のコネクタ装置。
【請求項５】
上記識別部分が、上記アクチュエータにおける上記第１の外面部または上記第２の外面部に表面処理が施されることにより形成されることを特徴とする請求項１記載のコネクタ装置。
【請求項６】
上記識別部分が上記アクチュエータにおける上記第１の外面部または上記第２の外面部に対して全体的に設けられることを特徴とする請求項１記載のコネクタ装置。
【請求項７】
上記識別部分が上記アクチュエータにおける上記第１の外面部または上記第２の外面部の複数の部分を占めることを特徴とする請求項１記載のコネクタ装置。
【請求項８】
上記アクチュエータを形成する材料と上記絶縁ハウジングを形成する材料とが同色もしくは類似色を呈することを特徴とする請求項１記載のコネクタ装置。
【発明の詳細な説明】
【技術分野】
【０００１】
本願の特許請求の範囲に記載された発明は、フレキシブル印刷配線基板（ＦＰＣ）や平板状ケーブル（ＦＦＣ）等の配線板状部材に設けられた接続端子部を、固体印刷配線基板等とされる主配線基板に電気的に接続された状態とするため、主配線基板に連結されたもとで配線板状部材における接続端子部に押圧接触するコンタクトを備えたコネクタ装置に関する。
【背景技術】
【０００２】
各種の電子機器に実装される比較的小型なフレキシブル印刷配線基板や平板状ケーブル等の配線板状部材は、各種の電気部品が取り付けられる固体印刷配線基板等とされる主配線基板への取付けが、当該主配線基板に電気的接続がなされて固定されたコネクタ装置が用いられて行われることが多いものとされる。このような配線板状部材の主配線基板への取付けにあたって用いられるコネクタ装置は、主配線基板に設けられた配線部に連結されたもとで配線板状部材に設けられた接続端子部に接触する導電性のコンタクトを有しており、そのコンタクトを介して、配線板状部材における接続端子部を主配線基板における配線部に電気的に接続する。
【０００３】
従来提案されている、例えば、フレキシブル印刷配線基板とされる配線板状部材の主配線基板への取付けに用いられるコネクタ装置の例にあっては、複数の接続端子部が設けられた配線板状部材の差込みがなされる差込み部が形成されたものとされて、主配線基板に配される絶縁ハウジングを有したものとされる。そして、その絶縁ハウジングに配列配置されて設けられ、主配線基板に設けられた配線部に連結されるとともに、差込み部を通じて絶縁ハウジングに差し込まれた配線板状部材における複数の接続端子部に夫々対応するものとなる複数のコンタクトと、絶縁ハウジングに対して回動可能に設けられ、配線板状部材が絶縁ハウジングに差込み部を通じて差し込まれたもとで回動せしめられるとき、複数のコンタクトに配線板状部材における複数の接続端子部に夫々押圧接触する状態を維持させるものとされるアクチュエータとが備えられる。
【０００４】
アクチュエータは、例えば、全体が複数のコンタクトの配列方向に沿って伸びる細長形状をとり、操作部が設けられていて、その操作部が操作されることにより絶縁ハウジングに対して回動せしめられる。
【０００５】
複数のコンタクトの各々は、導電性の弾性材料で形成され、絶縁ハウジングに固定されるとともに絶縁ハウジングが配された主配線基板における配線部に電気的に連結される部分である固定部と、絶縁ハウジングに差込み部を通じて差し込まれた配線板状部材における接続端子部に押圧接触する接触部とが設けられたものとされる。そして、複数のコンタクトの夫々の接触部が、配線板状部材の絶縁ハウジングへの差込み状況及びアクチュエータの回動状況に応じて、配線板状部材における接続端子部に押圧接触する状態と、配線板状部材における接続端子部との押圧接触から解放された状態とを選択的にとる。
【０００６】
このようなコネクタ装置にあっては、主配線基板に配された絶縁ハウジングに差込み部を通じて差し込まれた配線板状部材における接続端子部の主配線基板における配線部との電気的接続を確実に行うことができるものとされるべく、配線板状部材が絶縁ハウジングに差込み部を通じて差し込まれたもとで、アクチュエータが、それに操作が加えられて、複数のコンタクトの夫々にその接触部の配線板状部材における接続端子部に対する押圧接触状態を維持させる押圧作用状態におかれた状況と、斯かる押圧作用状態におかれていない状況とを、外部からの目視により容易かつ明瞭に識別できるようにされることが要される。
【０００７】
そのため、上述のような絶縁ハウジング，複数のコンタクト及びアクチュエータを備えたコネクタ装置であって、アクチュエータが、それに操作が加えられて、複数のコンタクトの夫々にその接触部の配線板状部材における接続端子部に対する押圧接触状態を維持させる押圧作用状態におかれているときと、斯かる押圧作用状態におかれていないときとで、絶縁ハウジングの一部、あるいは、アクチュエータの一部の色彩が異なることになるようにされ、それによって、アクチュエータが、それに操作が加えられて、複数のコンタクトの夫々にその接触部の配線板状部材における接続端子部に対する押圧接触状態を維持させる押圧作用状態におかれた状況を、外部からの目視により認識できるようにしたものが提案されている（例えば、特許文献１参照）。
【０００８】
特許文献１に示されるコネクタ装置（コネクタ30;50)にあっては、配線板状部材用の差込み部（差し込み口38）が形成された絶縁ハウジング（コネクタ本体32;52)と、複数のコンタクト（コネクタ接続端子36) と、アクチュエータ（ロック部材34;54)とを備えられており、アクチュエータ(34;54) が、図１及び図７に示されるような、絶縁ハウジング(32;52) に対して立ち上がった位置（第１の位置）をとるもとで、配線板状部材（フレキシブル基板12) が絶縁ハウジング(32;52) に差込み部(38)を通じて差し込まれ、アクチュエータ(34;54) が、それに操作が加えられて、第１の位置から、図４及び第８図に示されるような、絶縁ハウジング(32;52) に対して伏した位置（第２の位置）へと回動せしめられると、アクチュエータ(34;54) が、絶縁ハウジング(32;52) に差込み部(38)を通じて差し込まれ配線板状部材(12)を、複数のコンタクト(36)における接触部（第１接続部36A)とで挟持し、それにより、複数のコンタクト(36)の夫々がそれにおける接触部(36A) の配線板状部材(12)における接続端子部（フレキシブル基板端子部18A)に対する押圧接触状態を維持する状態におかれる。
【０００９】
さらに、このとき、コネクタ装置(30)にあっては、アクチュエータ(34)に設けられた押圧部(34B) が絶縁ハウジング(32)に設けられた凹部(32A) に嵌合する状態がとられ、また、コネクタ装置(50)にあっては、アクチュエータ(54)に設けられた電子ペーパ(56)が配線板状部材(12)に設けられた磁性部材（基板側第１磁性部材20) に近接する状態がとられる。
【００１０】
コネクタ装置(30)における絶縁ハウジング(32)に設けられた凹部(32A) には、押圧色変化部材(44)が配されていて、アクチュエータ(34)に設けられた押圧部(34B) が凹部(32A) に嵌合するとき、押圧部(34B) が押圧色変化部材(44)を押圧し、それにより、押圧色変化部材(44)がその色を変化させる。そして、絶縁ハウジング(32)における凹部(32A) が設けられた部分は透明部材で構成されており、従って、凹部(32A) における押圧色変化部材(44)の色の変化は、コネクタ装置(30)の外部から、絶縁ハウジング(32)における一部の色彩の変化として目視され得ることになる。
【００１１】
また、コネクタ装置(50)におけるアクチュエータ(54)に設けられた電子ペーパ(56)は、配線板状部材(12)に設けられた磁性部材(20)に近接したときその磁性部材(20)からの磁力を受けてその色彩を変化させる。そして、アクチュエータ(54)に設けられた電子ペーパ(56)は、アクチュエータ(54)の該表面に装着されており、従って、電子ペーパ(56)の色の変化は、コネクタ装置(50)の外部から、アクチュエータ(54)における一部の色彩の変化として目視され得ることになる。
【００１２】
このように、特許文献１に示されるコネクタ装置(30)にあっては、絶縁ハウジング(32)に設けられた凹部(32A) において押圧色変化部材(44)がアクチュエータ(34)に設けられた押圧部(34B) により押圧されて色を変化させるようにされていることにより、アクチュエータ(34)が、それに操作が加えられて、複数のコンタクト(36)の夫々にその接触部(36A) の配線板状部材(12)における接続端子部(18A) に対する押圧接触状態を維持させる押圧作用状態におかれているときと、斯かる状態におかれていないときとで、絶縁ハウジング(32)の一部の色彩が異なることになり、また、特許文献１に示されるコネクタ装置(50)にあっては、アクチュエータ(54)に設けられた電子ぺーパ(56)が配線板状部材(12)に設けられた磁性部材(20)に近接したときその磁性部材(20)からの磁力を受けてその色彩を変化させるようにされていることにより、アクチュエータ(54)が、それに操作が加えられて、複数のコンタクト(36)の夫々にその接触部(36A) の配線板状部材(12)における接続端子部(18A) に対する押圧接触状態を維持させる押圧作用状態におかれているときと、斯かる状態におかれていないときとで、アクチュエータ(54)の一部の色彩が異なることになる。
【００１３】
その結果、特許文献１に示されるコネクタ装置(30;50) にあっては、アクチュエータ(34;54) が、それに操作が加えられて、複数のコンタクト(36)の夫々にその接触部(36A) の配線板状部材(12)における接続端子部(18A) に対する押圧接触状態を維持させる押圧作用状態におかれている状況と、斯かる押圧作用状態におかれていない状況とを、外部からの目視により識別することができる。
【先行技術文献】
【特許文献】
【００１４】
【特許文献１】特開２００４−３５５８６８号公報（段落００３０〜００４１、図１〜８）
【発明の概要】
【発明が解決しようとする課題】
【００１５】
上述のようにして、アクチュエータが、それに操作が加えられて、複数のコンタクトの夫々にその接触部の配線板状部材における接続端子部に対する押圧接触状態を維持させる押圧作用状態におかれている状況と、斯かる押圧作用状態におかれていない状況とを、外部からの目視により識別することができるようにされた従来のコネクタ装置にあっては、絶縁ハウジングに押圧色変化部材が配される凹部を設けるとともに、アクチュエータにその回動位置に応じて凹部に嵌合する押圧部を設けること、あるいは、絶縁ハウジングに差込み部を通じて差し込まれる配線板状部材に磁性部材を配するとともに、アクチュエータにその回動位置に応じて磁性部材に近接する電子ペーパを配することが必要とされる。それゆえ、押圧力を受けてその色を変化させる押圧色変化部材あるいは磁力を受けてその色を変化させる電子ペーパという特殊な部材を用意することが要求されるとともに、絶縁ハウジング及びアクチュエータの構成の複雑化がまねかれ、さらには、その結果、製造コストの高騰がもたらされてしまうという問題がある。
【００１６】
斯かる点に鑑み、本願の特許請求の範囲に記載された発明は、例えば、フレキシブル印刷配線基板等とされる配線板状部材の主配線基板への取付けに用いられる、板状部材差込み部が設けられた絶縁ハウジングと、絶縁ハウジングに配列配置されて設けられる複数のコンタクトと、回動可能に配され、回動操作により、複数のコンタクトの夫々に板状部材差込み部を通じて絶縁ハウジング内に差し込まれた配線板状部材における接続端子部に対する押圧接触状態をとらせる位置と、複数のコンタクトの夫々を上述の押圧接触状態から解放する位置とを選択的にとるアクチュエータと、を備えたコネクタ装置であって、特殊な部材の用意を不要とし、絶縁ハウジング及びアクチュエータの構成の複雑化をまねかず、その結果、製造コストの高騰をもたらすことなく、配線板状部材が絶縁ハウジングに差込み部を通じて差し込まれたもとで、アクチュエータが、それに操作が加えられて、複数のコンタクトの夫々に配線板状部材における接続端子部に対する押圧接触状態を維持させる押圧作用状態におかれた状況と、斯かる押圧作用状態におかれていない状況とを、外部からの目視により容易かつ明瞭に識別できるようにしたものを提供する。
【課題を解決するための手段】
【００１７】
本願の特許請求の範囲における請求項１から請求項８までのいずれかに記載された発明（以下、本願発明という。）に係るコネクタ装置は、板状部材差込み部が設けられ、基板における部品搭載面上に配される絶縁ハウジングと、絶縁ハウジングに配列配置されて配され、板状部材差込み部を通じて絶縁ハウジングに差し込まれた配線板状部材における複数の接続端子部に夫々対応する位置をとるものとされる複数のコンタクトと、絶縁ハウジングに対して回動可能に設けられて第１の静止位置と第２の静止位置とを選択的にとり、配線板状部材が絶縁ハウジングに板状部材差込み部を通じて差し込まれたもとで、第１の静止位置から第２の静止位置に移行せしめられるとき、複数のコンタクトの夫々に配線板状部材における複数の接続端子部のうちの対応するものに対する押圧接触状態をとらせ、第２の静止位置から第１の静止位置に移行せしめられるとき、複数のコンタクトの夫々を配線板状部材における複数の接続端子部のうちの対応するものに対する押圧接触状態から解放するアクチュエータとを備えて成り、アクチュエータが、アクチュエータが第１の静止位置をとるとき基板における部品搭載面の上方に向き、アクチュエータが第２の静止位置をとるとき基板における部品搭載面に沿う方向に向く第１の外面部、及び、アクチュエータが第２の静止位置をとるとき基板における部品搭載面の上方に向き、アクチュエータが第１の静止位置をとるとき基板における部品搭載面に沿う方向に向く第２の外面部を有し、第１の外面部が、アクチュエータが第１の静止位置をとるとき基板における部品搭載面と平行に配される中央平面部とそれを挟んで配された一対の傾斜面部とを含んで形成されており、第２の外面部が全体に亙って平面状を成すものとされていて、第１の外面部または第２の外面部に、アクチュエータの他の部分及び絶縁ハウジングとは異なる色彩または模様を呈する識別部分が、第１の外面部または第２の外面部の少なくとも一部分を占めるものとして設けられることを特徴とするものとされる。
【００１８】
上述のように構成される本願発明に係るコネクタ装置にあっては、絶縁ハウジングが基板における部品搭載面上に配されたもとで、アクチュエータは、第１の静止位置をとるとき、絶縁ハウジングが配された基板に対して立ち上がった状態におかれ、また、第２の静止位置をとるとき、絶縁ハウジングが配された基板に対して伏した状態におかれる。
【００１９】
そして、配線板状部材が絶縁ハウジングに板状部材差込み部を通じて差し込まれたもとで、アクチュエータが、第１の静止位置から第２の静止位置に移行せしめられて、絶縁ハウジングが配された基板に対して立ち上がった状態におかれたものから絶縁ハウジングが配された基板に対して伏した状態におかれたものとされるときには、アクチュエータは、複数のコンタクトの夫々に配線板状部材における複数の接続端子部のうちの対応するものに対する押圧接触状態を維持させる押圧作用状態におかれ、また、アクチュエータが、第２の静止位置から第１の静止位置に移行せしめられて、絶縁ハウジングが配された基板に対して伏した状態におかれたものから絶縁ハウジングが配された基板に対して立ち上がった状態におかれたものとされるときには、アクチュエータは、上述の押圧作用状態にはなく、複数のコンタクトの夫々を配線板状部材における複数の接続端子部のうちの対応するものに対する押圧接触状態から解放する。
【００２０】
このようなもとで、アクチュエータが第１の静止位置をとって基板に対して立ち上がった状態におかれたときには、アクチュエータにおける識別部分が設けられた第１の外面部または第２の外面部が、基板における部品搭載面の上方に向く状態、または、基板における部品搭載面に沿う方向に向く状態におかれ、従って、識別部分も、基板における部品搭載面の上方に向く状態、または、基板における部品搭載面に沿う方向に向く状態におかれ、それに対して、アクチュエータが第２の静止位置をとって基板に対して伏した状態におかれたときには、アクチュエータにおける識別部分が設けられた第１の外面部または第２の外面部が、基板における部品搭載面に沿う方向に向く状態、または、基板における部品搭載面の上方に向く状態におかれ、従って、識別部分も、基板における部品搭載面に沿う方向に向く状態、または、基板における部品搭載面の上方に向く状態におかれる。
【発明の効果】
【００２１】
本願発明に係るコネクタ装置においては、アクチュエータにおける識別部分は、アクチュエータの他の部分及び絶縁ハウジングとは異なる色彩または模様を呈するものとされている。従って、上述のように、アクチュエータが、押圧作用状態をとらず、複数のコンタクトの夫々を配線板状部材における複数の接続端子部のうちの対応するものに対する押圧接触状態から解放する、第１の静止位置をとって絶縁ハウジングが配された基板に対して立ち上がった状態におかれ、それに伴って、アクチュエータにおける識別部分が基板における部品搭載面の上方に向く状態におかれたとき、または、アクチュエータが、複数のコンタクトの夫々に配線板状部材における複数の接続端子部のうちの対応するものに対する押圧接触状態を維持させる押圧作用状態をとる、第２の静止位置をとって絶縁ハウジングが配された基板に対して伏した状態におかれ、それに伴って、アクチュエータにおける識別部分が基板における部品搭載面の上方に向く状態におかれたときには、アクチュエータにおける識別部分が、絶縁ハウジングが配された基板における部品搭載面の上方から見て、極めて目につき易いものとなり、それにより、アクチュエータが、第１の静止位置、または、第２の静止位置をとっていることを目視により容易に認識することができる。
【００２２】
一方、アクチュエータが、複数のコンタクトの夫々に配線板状部材における複数の接続端子部のうちの対応するものに対する押圧接触状態を維持させる押圧作用状態におかれることになる、第２の静止位置をとって絶縁ハウジングが配された基板に対して伏した状態におかれ、それに伴って、アクチュエータにおける識別部分が基板における部品搭載面に沿う方向に向く状態におかれたとき、または、アクチュエータが、押圧作用状態におかれず、複数のコンタクトの夫々を配線板状部材における複数の接続端子部のうちの対応するものに対する押圧接触状態から解放する、第１の静止位置をとって絶縁ハウジングが配された基板に対して立ち上がった状態におかれ、それに伴って、アクチュエータにおける識別部分が基板における部品搭載面に沿う方向に向く状態におかれたときには、アクチュエータにおける識別部分が、絶縁ハウジングが配された基板における部品搭載面の上方から見て、目につき難いものとなり、それにより、アクチュエータが、第２の静止位置、または、第１の静止位置をとっていることを目視により容易に認識することができる。
【００２３】
その結果、本願発明に係るコネクタ装置にあっては、配線板状部材が絶縁ハウジングに板状部材差込み部を通じて差し込まれたもとで、アクチュエータが、それに操作が加えられて、複数のコンタクトの夫々に配線板状部材における接続端子部に対する押圧接触状態を維持させる押圧作用状態におかれた状況と、斯かる押圧作用状態におかれていない状況とを、アクチュエータにおける識別部分についての絶縁ハウジングが配された基板における部品搭載面の上方からの目視、即ち、外部からの目視により、容易かつ明瞭に識別することができる。
【００２４】
しかも、斯かる外部からの目視による容易かつ明瞭な識別は、アクチュエータが第１の静止位置をとるとき基板における部品搭載面の上方に向き、アクチュエータが第２の静止位置をとるとき基板における部品搭載面に沿う方向に向く、または、アクチュエータが第２の静止位置をとるとき基板における部品搭載面の上方に向き、アクチュエータが第１の静止位置をとるとき基板における部品搭載面に沿う方向に向くことになる、当該アクチュエータにおける第１の外面部及び第２の外面部に、アクチュエータの他の部分及び絶縁ハウジングとは異なる色彩または模様を呈する識別部分を設けることによって可能とされるので、そのために特殊な部材を用意することが不要とされ、かつ、絶縁ハウジング及びアクチュエータの構成の複雑化をまねくこともなく、その結果、製造コストの高騰をもたらすこともない。
【００２５】
これよりして、本願発明に係るコネクタ装置によれば、特殊な部材の用意を不要とし、絶縁ハウジング及びアクチュエータの構成の複雑化をまねかず、その結果、製造コストの高騰をもたらすことなく、配線板状部材が絶縁ハウジングに差込み部を通じて差し込まれたもとで、アクチュエータが、それに操作が加えられて、複数のコンタクトの夫々に配線板状部材における接続端子部に対する押圧接触状態を維持させる押圧作用状態におかれた状況と、斯かる押圧作用状態におかれていない状況とを、外部からの目視により容易かつ明瞭に識別できることになる。
【図面の簡単な説明】
【００２６】
【図１】本願発明に係るコネクタ装置の第１の例を、それが取り付けられた電子機器の主配線基板の部分と共に示す斜視図である。
【図２】本願発明に係るコネクタ装置の第１の例を、それが取り付けられた電子機器の主配線基板の部分と共に示す平面図である。
【図３】本願発明に係るコネクタ装置の第１の例を、それが取り付けられた電子機器の主配線基板の部分と共に示す正面図である。
【図４】本願発明に係るコネクタ装置の第１の例に備えられるアクチュエータを示す斜視図である。
【図５】図３における V−V 線断面を示す断面図である。
【図６】本願発明に係るコネクタ装置の第１の例を、それが取り付けられた電子機器の主配線基板の部分及びそれに差し込まれたフレキシブル印刷配線基板の部分と共に示す斜視図である。
【図７】本願発明に係るコネクタ装置の第１の例を、それが取り付けられた電子機器の主配線基板の部分及びそれに差し込まれたフレキシブル印刷配線基板の部分と共に示す断面図である。
【図８】本願発明に係るコネクタ装置の第２の例を、それが取り付けられた電子機器の主配線基板の部分と共に示す斜視図である。
【図９】本願発明に係るコネクタ装置の第３の例を、それが取り付けられた電子機器の主配線基板の部分と共に示す斜視図である。
【図１０】本願発明に係るコネクタ装置の第４の例を、それが取り付けられた電子機器の主配線基板の部分と共に示す斜視図である。
【発明を実施するための形態】
【００２７】
本願発明を実施するための形態は、以下に述べられる本願発明についての実施例１，実施例２，実施例３及び実施例４をもって説明される。
【実施例１】
【００２８】
図１（斜視図），図２（平面図）及び図３（正面図）は、本願発明に係るコネクタ装置の第１の例を、それが取り付けられた電子機器の主配線基板の部分と共に示す。
【００２９】
図１〜図３において、本願発明に係るコネクタ装置の第１の例を成すコネクタ装置１０は、合成樹脂等の絶縁材料によって形成され、電子機器の主配線基板１１における部品搭載面１２上に配された絶縁ハウジング１３を備えており、絶縁ハウジング１３には、その正面側端縁部に板状部材差込み部１４が設けられている。絶縁ハウジング１３が主配線基板１１における部品搭載面１２上に配されることにより、コネクタ装置１０の全体が主配線基板１１に取り付けられたものとされる。そして、板状部材差込み部１４を通じて、例えば、後述されるフレキシブル印刷配線基板の一端部が、配線板状部材を成すものとして、絶縁ハウジング１３にその内部へと差し込まれる。
【００３０】
絶縁ハウジング１３には、各々が弾性導電材料で形成された複数のコンタクト１５が、絶縁ハウジング１３の長手方向に沿う方向に配列配置されて設けられている。複数のコンタクト１５の夫々は、その大部分が絶縁ハウジング１３の内部に収容されたものとされているが、図２に示されるように、一端部が絶縁ハウジング１３における正面側端縁部に対向する背面側端縁部からその外部に突出して接続端子部を形成している。
【００３１】
また、絶縁ハウジング１３における背面側端縁部側には、複数のコンタクト１５の配列方向、即ち、絶縁ハウジング１３の長手方向に沿って伸びるアクチュエータ２０が、絶縁ハウジング１３に対して回動可能に設けられている。アクチュエータ２０を形成する材料と絶縁ハウジング１３を形成する材料とは、例えば、同種のものとされ、同色もしくは相互に類似する色を呈するものとされる。このように、アクチュエータ２０を形成する材料と絶縁ハウジング１３を形成する材料とが同種のものとされる場合には、そのことが材料の管理や保守を容易としてコスト低減に繋がる。
【００３２】
そして、アクチュエータ２０は、図１〜図３に示されるような、絶縁ハウジング１３に対して起き上がった状態におかれるものとされる位置を、第１の静止位置としてとることができ、また、後述される図６及び図７に示されるような、絶縁ハウジング１３に対して伏した状態におかれるものとされる位置を、第２の静止位置としてとることができて、回動操作されることにより、第１の静止位置から第２の静止位置への移行、あるいは、第２の静止位置から第１の静止位置への移行を行うものとされている。
【００３３】
また、アクチュエータ２０は、アクチュエータ２０を単体で示す図４にも明瞭に示されるように、アクチュエータ２０が第１の静止位置をとって絶縁ハウジング１３に対して起き上がった状態におかれるとき、主配線基板１１における部品搭載面１２の上方に向き、アクチュエータ２０が第２の静止位置をとって絶縁ハウジング１３に対して伏した状態におかれるとき、主配線基板１１における部品搭載面１２に沿う方向に向くことになる外面部２１を有している。外面部２１は、主配線基板１１における部品搭載面１２と略平行に配される中央平面部２１ａと中央平面部２１ａを挟んで配された一対の傾斜面部２１ｂ及び２１ｃとにより形成されている。
【００３４】
アクチュエータ２０が有する外面部２１には、識別部分２２が、中央平面部２１ａと一対の傾斜面部２１ｂ及び２１ｃとの全体に亙るものとして、従って、外面部２１に対して全体的に設けられている。この識別部分２２は、例えば、外面部２１に所定の塗料による塗装が施されることにより，所定の有色部材が固着されることにより，レーザ光の照射による変質処理が施されることにより、あるいは、サンドブラスト法による表面処理が施されることにより形成され、アクチュエータ２０の他の部分及び絶縁ハウジング１３とは異なる色彩または模様を呈するものとされる。このようにして、アクチュエータ２０に設けられた識別部分２２は、アクチュエータ２０が第１の静止位置をとって絶縁ハウジング１３に対して起き上がった状態におかれるとき、主配線基板１１における部品搭載面１２の上方に向いた、アクチュエータ２０の他の部分及び絶縁ハウジング１３とは異なる色彩または模様を呈するものとされる。従って、識別部分２２は、アクチュエータ２０が第１の静止位置をとって絶縁ハウジング１３に対して起き上がった状態におかれているもとでは、主配線基板１１における部品搭載面１２の上方から見て、極めて目につき易いものとなっており、それにより、アクチュエータ２０が第１の静止位置をとっていることを目視により容易に認識することができるようにしている。
【００３５】
絶縁ハウジング１３に配列配置されて設けられる複数のコンタクト１５の夫々は、図３における V−V 線断面を示す図５に示されるように、弾性導電材料で形成された、全体として「エ」字状を成す板状部材とされている。斯かる「エ」字状とされたコンタクト１５にあっては、連結部２５によって相互連結された一対のビーム部２６及び２７のうち、ビーム部２６が固定部とされて、ビーム部２７が作動部とされる。固定部とされるビーム部２６の一端部２６ａは、絶縁ハウジング１３の外部に導出されて接続端子部を成すものとされており、主配線基板１１における部品搭載面１２に設けられた配線部２８に接続される。
【００３６】
絶縁ハウジング１３に対して回動可能に配されたアクチュエータ２０には、図５に示されるように、絶縁ハウジング１３内において複数のコンタクト１５に夫々係合する複数のカム部３０が設けられている。複数のカム部３０の夫々は、複数のコンタクト１５のうちの対応するものにおけるビーム部２６の一端部２６ａとビーム部２７の一端部２７ａとに挟まれていて、アクチュエータ２０の回動に伴って回動する。
【００３７】
アクチュエータ２０が、図１〜図３に示されるように、第１の静止位置をとるもとにあっては、複数のカム部３０の夫々における断面差渡し径が極大となる極大寸法部以外の部分が、対応するコンタクト１５におけるビーム部２６の一端部２６ａとビーム部２７の一端部２７ａとに当接する。斯かる状況のもとでは、複数のカム部３０の夫々に対応するコンタクト１５は、固定部を成すビーム部２６の他端部２６ｂと作動部を成すビーム部２７の他端部２７ｂとが、絶縁ハウジング１３に設けられた板状部材差込み部１４側において形成する相互間隔を、比較的大なるものに維持するものとされる。
【００３８】
アクチュエータ２０が第１の静止位置をとるもとにおいて、配線板状部材としてのフレキシブル印刷配線基板４０（図６及び図７に示される。）の一端部が、絶縁ハウジング１３に板状部材差込み部１４を通じて差し込まれる。その際、絶縁ハウジング１３に配列配置された複数のコンタクト１５は、絶縁ハウジング１３にその内部へと差し込まれたフレキシブル印刷配線基板４０の一端部に設けられた複数の接続端子部４１（図６及び図７に示される。）に夫々対応する位置をとるものとされる。そして、フレキシブル印刷配線基板４０の一端部が絶縁ハウジング１３に差し込まれた後、アクチュエータ２０が、回動操作されて回動し、第１の静止位置から図６及び図７に示される第２の静止位置に移行して絶縁ハウジング１３に対して伏した状態におかれると、それにより、絶縁ハウジング１３に配列配置された複数のコンタクト１５が、絶縁ハウジング１３に差し込まれたフレキシブル印刷配線基板４０の一端部に設けられた複数の接続端子部４１に夫々押圧接触するものとされる。
【００３９】
斯かる際においては、先ず、アクチュエータ２０が第１の静止位置をとるもとにおいて絶縁ハウジング１３にその内部へと差し込まれたフレキシブル印刷配線基板４０の一端部が、絶縁ハウジング１３に配列配置された複数のコンタクト１５に対して、複数のコンタクト１５の夫々のビーム部２６とビーム部２７とに挟まれる位置におかれる。続いて、第１の静止位置をとるアクチュエータ２０が、回動操作されることにより、第１の静止位置から第２の静止位置に移行すべく回動せしめられ、絶縁ハウジング１３に対して伏した状態におかれる。それにより、アクチュエータ２０の第１の静止位置から第２の静止位置への移行に伴って、図７に示されるように、アクチュエータ２０に設けられた複数のカム部３０の夫々が、その極大寸法部を対応するコンタクト１５における固定部を成すビーム部２６の一端部２６ａと作動部を成すビーム部２７の一端部２７ａとの両者に係合させる。
【００４０】
コンタクト１５におけるビーム部２６の一端部２６ａとビーム部２７の一端部２７ａとの両者に係合するカム部３０の極大寸法部は、ビーム部２７に、仮にフレキシブル印刷配線基板４０の一端部が絶縁ハウジング１３に差し込まれていないとすれば、それをビーム部２６の他端部２６ｂとビーム部２７の他端部２７ｂとが絶縁ハウジング１３に設けられた板状部材差込み部１４側において形成する相互間隔を狭めるように変位させることになる応力を作用させ、ビーム部２７は、その他端部２７ｂが絶縁ハウジング１３に差し込まれたフレキシブル印刷配線基板４０の一端部における複数の接続端子部４１のうちの対応するものに押圧接触する状態におかれる。それにより、絶縁ハウジング１３にその内部へと差し込まれたフレキシブル印刷配線基板４０の一端部における複数の接続端子部４１の夫々が、対応するコンタクト１５を通じて、主配線基板１１に設けられた複数の配線部２８のうちの対応するものに電気的に接続されることになる。
【００４１】
このようにして、アクチュエータ２０が第２の静止位置をとって絶縁ハウジング１３に対して伏した状態におかれるときには、アクチュエータ２０に設けられた識別部分２２は、図７に示されるように、配線基板１１における部品搭載面１２に沿う方向に向くものとされる。それゆえ、識別部分２２は、アクチュエータ２０の他の部分及び絶縁ハウジング１３とは異なる色彩または模様を呈するものとされてはいるが、アクチュエータ２０が第２の静止位置をとって絶縁ハウジング１３に対して伏した状態におかれているもとでは、主配線基板１１における部品搭載面１２の上方から見て、目につき難いものとなっている。その結果、識別部分２２が目につき難いものとなっていることによって、アクチュエータ２０が第２の静止位置をとっていることを目視により容易に認識することができることになる。
【００４２】
その後、コネクタ装置１０は、必要に応じて、第２の静止位置をとるアクチュエータ２０を、複数のコンタクト１５の夫々をフレキシブル印刷配線基板４０の一端部における複数の接続端子部４１のうちの対応するものに対する押圧接触状態から解放すべく、第１の静止位置に移行させることになる状態におかれる。
【００４３】
第２の静止位置をとるアクチュエータ２０が第１の静止位置に移行せしめられる際には、第２の静止位置をとるアクチュエータ２０が、回動操作されて、第２の静止位置から第１の静止位置に移行すべく回動せしめられ、絶縁ハウジング１３に対して立ち上がった状態におかれる。それにより、アクチュエータ２０の第２の静止位置から第１の静止位置への移行に伴って、アクチュエータ２０に設けられた複数のカム部３０の夫々が、その極大寸法部以外の部分を対応するコンタクト１５における固定部を成すビーム部２６の一端部２６ａと作動部を成すビーム部２７の一端部２７ａとの両者に係合させる。
【００４４】
コンタクト１５におけるビーム部２６の一端部２６ａとビーム部２７の一端部２７ａとの両者に係合するカム部３０の極大寸法部以外の部分は、ビーム部２７に、ビーム部２６の他端部２６ｂとビーム部２７の他端部２７ｂとが絶縁ハウジング１３に設けられた板状部材差込み部１４側において形成する相互間隔を広げる方向に変位しようとする状態をとらせ、それにより、ビーム部２７の他端部２７ｂが、絶縁ハウジング１３に差し込まれたフレキシブル印刷配線基板４０の一端部における複数の接続端子部４１のうちの対応するものに押圧接触する状態から解放される。それにより、複数のコンタクト１５の夫々が、絶縁ハウジング１３にその内部へと差し込まれたフレキシブル印刷配線基板４０の一端部における複数の接続端子部４１のうちの対応するものに対する押圧接触状態から解放され、フレキシブル印刷配線基板４０が絶縁ハウジング１３から適正に抜脱され得る状態におかれる。
【００４５】
上述のように、コネクタ装置１０にあっては、アクチュエータ２０が第１の静止位置をとって絶縁ハウジング１３に対して立ち上がった状態におかれるときには、アクチュエータ２０に設けられた識別部分２２が、図５に示されるように、配線基板１１における部品搭載面１２の上方に向いた、アクチュエータ２０の他の部分及び絶縁ハウジング１３とは異なる色彩または模様を呈するものとなって、主配線基板１１における部品搭載面１２の上方から見て、極めて目につき易いものとされ、また、アクチュエータ２０が第２の静止位置をとって絶縁ハウジング１３に対して伏した状態におかれるときには、アクチュエータ２０に設けられた識別部分２２が、図７に示されるように、配線基板１１における部品搭載面１２に沿う方向に向くものとなって、アクチュエータ２０の他の部分及び絶縁ハウジング１３とは異なる色彩または模様を呈するものとされてはいるが、主配線基板１１における部品搭載面１２の上方から見て、目につき難いものとされる。
【００４６】
その結果、コネクタ装置１０を主配線基板１１における部品搭載面１２の上方から目視することにより、アクチュエータ２０が第１の静止位置をとって絶縁ハウジング１３に対して立ち上がった状態におかれ、複数のコンタクト１５の夫々にフレキシブル印刷配線基板４０における接続端子部４１に対する押圧接触状態を維持させる押圧作用状態におかれていない状況と、アクチュエータ２０が第２の静止位置をとって絶縁ハウジング１３に対して伏した状態におかれ、複数のコンタクト１５の夫々にフレキシブル印刷配線基板４０における接続端子部４１に対する押圧接触状態を維持させる押圧作用状態におかれている状況とを、容易かつ明瞭に識別できることになる。
【００４７】
さらに、コネクタ装置１０にあっては、アクチュエータ２０が押圧作用状態におかれていない状況とアクチュエータ２０が押圧作用状態におかれている状況とについての外部からの目視による容易かつ明瞭な識別が、アクチュエータ２０における外面部２１に識別部分２２を設けることによって可能とされているので、そのために特殊な部材を用意することが不要とされ、かつ、絶縁ハウジング１３及びアクチュエータ２０の構成の複雑化をまねくこともなく、その結果、製造コストの高騰をもたらすこともない。
【実施例２】
【００４８】
図８は、本願発明に係るコネクタ装置の第２の例を、それが取り付けられた電子機器の主配線基板の部分と共に示す。
【００４９】
図８に示される本願発明に係るコネクタ装置の第２の例を成すコネクタ装置５０は、多くの部分が上述された実施例１のコネクタ装置１０と同様に構成されており、図８においては、実施例１のコネクタ装置１０の各部に対応する部分が、コネクタ装置１０と共通の符号が付されて示されている。コネクタ装置５０におけるコネクタ装置１０と共通の符号が付された部分についての詳細説明は省略される。
【００５０】
コネクタ装置５０にあっても、アクチュエータ２０が第１の静止位置をとって絶縁ハウジング１３に対して起き上がった状態におかれるとき、主配線基板１１における部品搭載面１２の上方に向き、アクチュエータ２０が第２の静止位置をとって絶縁ハウジング１３に対して伏した状態におかれるとき、主配線基板１１における部品搭載面１２に沿う方向に向くことになるアクチュエータ２０における外面部２１に、アクチュエータ２０の他の部分及び絶縁ハウジング１３とは異なる色彩または模様を呈する識別部分２２が設けられているが、この識別部分２２は、外面部２１を形成する中央平面部２１ａと一対の傾斜面部２１ｂ及び２１ｃとの全体に亙るものではなく、中央平面部２１ａのみに、従って、外面部２１の一部分を占めるものとして設けられる。
【００５１】
斯かる外面部２１を形成する中央平面部２１ａに設けられた識別部分２２も、例えば、外面部２１に所定の塗料による塗装が施されることにより，所定の有色部材が固着されることにより，レーザ光の照射による変質処理が施されることにより、あるいは、サンドブラスト法による表面処理が施されることにより形成されて、アクチュエータ２０の他の部分及び絶縁ハウジング１３とは異なる色彩または模様を呈するものとされている。従って、斯かる識別部分２２は、アクチュエータ２０が第１の静止位置をとって絶縁ハウジング１３に対して起き上がった状態におかれるとき、主配線基板１１における部品搭載面１２の上方に向いた、アクチュエータ２０の他の部分及び絶縁ハウジング１３とは異なる色彩または模様を呈するものとされており、アクチュエータ２０が第１の静止位置をとって絶縁ハウジング１３に対して起き上がった状態におかれているもとでは、主配線基板１１における部品搭載面１２の上方から見て、極めて目につき易いものとなり、それにより、アクチュエータ２０が第１の静止位置をとっていることを目視により容易に認識することができるようにしている。
【００５２】
コネクタ装置５０は、その他の部分は実施例１のコネクタ装置１０と同様に構成されている。そして、コネクタ装置５０は、実施例１のコネクタ装置１０と同様に作動し、斯かるコネクタ装置５０によれば、実施例１のコネクタ装置１０の場合と同様な作用効果が得られる。
【実施例３】
【００５３】
図９は、本願発明に係るコネクタ装置の第３の例を、それが取り付けられた電子機器の主配線基板の部分と共に示す。
【００５４】
図９に示される本願発明に係るコネクタ装置の第３の例を成すコネクタ装置６０も、多くの部分が前述された実施例１のコネクタ装置１０と同様に構成されており、図９においては、実施例１のコネクタ装置１０の各部に対応する部分が、コネクタ装置１０と共通の符号が付されて示されている。コネクタ装置６０におけるコネクタ装置１０と共通の符号が付された部分についての詳細説明は省略される。
【００５５】
コネクタ装置６０にあっても、アクチュエータ２０が第１の静止位置をとって絶縁ハウジング１３に対して起き上がった状態におかれるとき、主配線基板１１における部品搭載面１２の上方に向き、アクチュエータ２０が第２の静止位置をとって絶縁ハウジング１３に対して伏した状態におかれるとき、主配線基板１１における部品搭載面１２に沿う方向に向くことになるアクチュエータ２０における外面部２１に、アクチュエータ２０の他の部分及び絶縁ハウジング１３とは異なる色彩または模様を呈する識別部分２２が設けられているが、この識別部分２２は、外面部２１を形成する中央平面部２１ａと一対の傾斜面部２１ｂ及び２１ｃとの全体に亙るものではなく、中央平面部２１ａを挟んで配された一対の傾斜面部２１ｂ及び２１ｃの夫々に、従って、外面部２１の複数の部分を占めるものとして設けられる。
【００５６】
斯かる外面部２１を形成する一対の傾斜面部２１ｂ及び２１ｃの夫々に設けられた識別部分２２も、例えば、外面部２１に所定の塗料による塗装が施されることにより，所定の有色部材が固着されることにより，レーザ光の照射による変質処理が施されることにより、あるいは、サンドブラスト法による表面処理が施されることにより形成されて、アクチュエータ２０の他の部分及び絶縁ハウジング１３とは異なる色彩または模様を呈するものとされている。従って、斯かる識別部分２２は、アクチュエータ２０が第１の静止位置をとって絶縁ハウジング１３に対して起き上がった状態におかれるとき、主配線基板１１における部品搭載面１２の上方に向いた、アクチュエータ２０の他の部分及び絶縁ハウジング１３とは異なる色彩または模様を呈するものとされており、アクチュエータ２０が第１の静止位置をとって絶縁ハウジング１３に対して起き上がった状態におかれているもとでは、主配線基板１１における部品搭載面１２の上方から見て、極めて目につき易いものとなり、それにより、アクチュエータ２０が第１の静止位置をとっていることを目視により容易に認識することができるようにしている。
【００５７】
コネクタ装置６０は、その他の部分は実施例１のコネクタ装置１０と同様に構成されている。そして、コネクタ装置６０も、実施例１のコネクタ装置１０と同様に作動し、斯かるコネクタ装置６０によれば、実施例１のコネクタ装置１０の場合と同様な作用効果が得られる。
【実施例４】
【００５８】
図１０は、本願発明に係るコネクタ装置の第４の例を、それが取り付けられた電子機器の主配線基板の部分と共に示す。
【００５９】
図１０に示される本願発明に係るコネクタ装置の第４の例を成すコネクタ装置７０も、多くの部分が前述された実施例１のコネクタ装置１０と同様に構成されており、図１０においては、実施例１のコネクタ装置１０の各部に対応する部分が、コネクタ装置１０と共通の符号が付されて示されている。コネクタ装置７０におけるコネクタ装置１０と共通の符号が付された部分についての詳細説明は省略される。
【００６０】
コネクタ装置７０にあっては、アクチュエータ２０は、アクチュエータ２０が第１の静止位置をとって絶縁ハウジング１３に対して起き上がった状態におかれるとき、主配線基板１１における部品搭載面１２に沿う方向に向き、アクチュエータ２０が第２の静止位置をとって絶縁ハウジング１３に対して伏した状態におかれるとき、主配線基板１１における部品搭載面１２の上方に向くことになる外面部７１を有している。外面部７１は、全体に亙って平面状を成すものとされている。
【００６１】
そして、外面部７１には、識別部分７２が、外面部７１に対して全体的に設けられている。この識別部分７２は、例えば、外面部７１に所定の塗料による塗装が施されることにより，所定の有色部材が固着されることにより，レーザ光の照射による変質処理が施されることにより、あるいは、サンドブラスト法による表面処理が施されることにより形成され、アクチュエータ２０の他の部分及び絶縁ハウジング１３とは異なる色彩または模様を呈するものとされる。このようにして、アクチュエータ２０に設けられた識別部分７２は、アクチュエータ２０が第１の静止位置をとって絶縁ハウジング１３に対して起き上がった状態におかれるとき、主配線基板１１における部品搭載面１２に沿う方向に向き、アクチュエータ２０が第２の静止位置をとって絶縁ハウジング１３に対して伏した状態におかれるとき、主配線基板１１における部品搭載面１２の上方に向いた、アクチュエータ２０の他の部分及び絶縁ハウジング１３とは異なる色彩または模様を呈するものとされる。
【００６２】
従って、識別部分７２は、アクチュエータ２０が第１の静止位置をとって絶縁ハウジング１３に対して起き上がった状態におかれているもとでは、主配線基板１１における部品搭載面１２の上方から見て、目につき難いものとなって、その結果、目につき難いことにより、アクチュエータ２０が第１の静止位置をとっていることを目視により容易に認識することができるようにするものとなり、また、アクチュエータ２０が第２の静止位置をとって絶縁ハウジング１３に対して伏した状態におかれているもとでは、主配線基板１１における部品搭載面１２の上方から見て、極めて目につき易いものとなって、それにより、アクチュエータ２０が第２の静止位置をとっていることを目視により容易に認識することができるようにするものとなる。
【００６３】
コネクタ装置７０は、その他の部分は実施例１のコネクタ装置１０と同様に構成されている。
【００６４】
このようなコネクタ装置７０にあっては、アクチュエータ２０が第１の静止位置をとって絶縁ハウジング１３に対して立ち上がった状態におかれるときには、アクチュエータ２０に設けられた識別部分７２が、主配線基板１１における部品搭載面１２に沿う方向に向くものとなって、アクチュエータ２０の他の部分及び絶縁ハウジング１３とは異なる色彩または模様を呈するものとされてはいるが、主配線基板１１における部品搭載面１２の上方から見て、目につき難いものとされ、また、アクチュエータ２０が第２の静止位置をとって絶縁ハウジング１３に対して伏した状態におかれるときには、アクチュエータ２０に設けられた識別部分７２が、主配線基板１１における部品搭載面１２の上方に向いた、アクチュエータ２０の他の部分及び絶縁ハウジング１３とは異なる色彩または模様を呈するものとなって、主配線基板１１における部品搭載面１２の上方から見て、極めて目につき易いものとされる。
【００６５】
その結果、コネクタ装置７０を主配線基板１１における部品搭載面１２の上方から目視することにより、アクチュエータ２０が第１の静止位置をとって絶縁ハウジング１３に対して立ち上がった状態におかれ、実施例１のコネクタ装置１０における複数のコンタクト１５と同様の複数のコンタクトの夫々に、板状部材差込み部１４を通じて絶縁ハウジング１３に差し込まれた配線板状部材を成すフレキシブル印刷配線基板における接続端子部に対する押圧接触状態を維持させる押圧作用状態におかれていない状況と、アクチュエータ２０が第２の静止位置をとって絶縁ハウジング１３に対して伏した状態におかれ、実施例１のコネクタ装置１０における複数のコンタクト１５と同様の複数のコンタクトの夫々に、絶縁ハウジング１３に差し込まれたフレキシブル印刷配線基板における接続端子部に対する押圧接触状態を維持させる押圧作用状態におかれている状況とを、容易かつ明瞭に識別できることになる。
【００６６】
さらに、コネクタ装置７０にあっては、アクチュエータ２０が押圧作用状態におかれていない状況とアクチュエータ２０が押圧作用状態におかれている状況とについての外部からの目視による容易かつ明瞭な識別が、アクチュエータ２０における外面部７１に識別部分７２を設けることによって可能とされているので、そのために特殊な部材を用意することが不要とされ、かつ、絶縁ハウジング１３及びアクチュエータ２０の構成の複雑化をまねくこともなく、その結果、製造コストの高騰をもたらすこともない。
【００６７】
なお、上述のコネクタ装置７０にあっては、アクチュエータ２０において、識別部分７２が外面部７１に対して全体的に設けられているが、アクチュエータ２０に設けられる識別部分７２は、アクチュエータ２０における外面部７１の一部分を占めるもの、あるいは、外面部７１の複数の部分を占めるものとされてもよい。また、識別部分７２の位置の変更、あるいは、識別部分７２の色彩や模様の変更により、製品バリエーションの識別を行うことも可能である。
【産業上の利用可能性】
【００６８】
以上のような本願発明に係るコネクタ装置は、フレキシブル印刷配線基板等とされる配線板状部材の主印刷配線基板への取付けに用いられる、板状部材差込み部が設けられた絶縁ハウジングと、絶縁ハウジングに配列配置されて設けられる複数のコンタクトと、回動可能に配されて複数のコンタクトの夫々に係合するアクチュエータとを備えたコネクタ装置であって、特殊な部材の用意を不要とし、絶縁ハウジング及びアクチュエータの構成の複雑化をまねかず、その結果、製造コストの高騰をもたらすことなく、配線板状部材が絶縁ハウジングに差込み部を通じて差し込まれたもとで、アクチュエータが、複数のコンタクトの夫々に配線板状部材における接続端子部に対する押圧接触状態を維持させる押圧作用状態におかれた状況と、斯かる押圧作用状態におかれていない状況とを、外部からの目視により容易かつ明瞭に識別できるものとして、様々な電子機器等に広く適用され得るものである。
【符号の説明】
【００６９】
１０，５０，６０，７０・・・コネクタ装置，  １１・・・主配線基板，  １２・・・部品搭載面，  １３・・・絶縁ハウジング，  １４・・・板状部材差込み部，  １５・・・コンタクト，  ２０・・・アクチュエータ，  ２１，７１・・・（アクチュエータ２０の）外面部，  ２１ａ・・・中央平面部，  ２１ｂ，２１ｃ・・・傾斜面部，  ２２，７２・・・識別部分，  ２５・・・連結部，  ２６，２７・・・ビーム部，  ２８・・・配線部，  ３０・・・カム部，  ４０・・・フレキシブル印刷配線基板，  ４１・・・接続端子部
【図１】
0005488839.tif 000002
【図２】
0005488839.tif 000003
【図３】
0005488839.tif 000004
【図４】
0005488839.tif 000005
【図５】
0005488839.tif 000006
【図６】
0005488839.tif 000007
【図７】
0005488839.tif 000008
【図８】
0005488839.tif 000009
【図９】
0005488839.tif 000010
【図１０】
0005488839.tif 000011